(57)【特許請求の範囲】
【請求項１】
下金型と、
前記下金型に対して接近離隔するように昇降移動する上金型と、
前記上金型の下降を阻止する下降抑止位置と前記上金型の下降を許容する下降許容位置との間で移動自在に配設された下降抑止部材と、
前記下降抑止部材の一側面に突設されたガイドロッドと、
プレス装置の外方に突出するように前記ガイドロッドの先端部に設けられ、前記下降抑止部材を前記下降抑止位置と前記下降許容位置との間で移動させる操作片と、
前記下降抑止部材を前記下降抑止位置と前記下降許容位置との間で移動自在に支持するように、前記ガイドロットと前記操作片との間で、前記ガイドロッドが移動自在に挿通されたガイド部と、
前記下金型と前記上金型との間の金型間空間を開閉自在に覆うカバー体と、
前記下降抑止部材の移動方向に沿い、かつ、閉じられた前記カバー体側に突出する姿勢で、前記下降抑止部材に取付けられたロック棒を有し、前記下降抑止部材が前記下降許容位置に移動した状態で、前記ロック棒が前記カバー体に形成された位置決め孔に挿入されて、前記カバー体を閉じた状態にロックすると共に、前記下降抑止部材が前記下降抑止位置に移動した状態で、前記ロック棒が前記カバー体の前記位置決め孔から離脱して、前記カバー体のロックを解除するカバー体ロック機構と、
を備えたプレス装置。
【請求項２】
請求項１記載のプレス装置であって、
前記下降抑止部材が下降抑止位置に移動した状態で、該下降抑止部材の移動を抑止する下降抑止部材ロック機構をさらに備えたプレス装置。
【請求項３】
請求項２記載のプレス装置であって、
前記下降抑止部材ロック機構は、
前記ガイド部に設けられたロック部材が前記ガイドロッドに形成された２つの位置決め凹部のいずれかに離脱可能に嵌り込むことで、前記下降抑止部材を前記下降抑止位置又は前記下降許容位置に維持する、プレス装置。
【請求項４】
請求項３記載のプレス装置であって、
前記ロック部材は、前記ガイドロッドの移動方向に対して略直交する方向に沿って前記位置決め凹部から離反する方向に持上げられることにより、前記位置決め凹部から離脱する、プレス装置。
【発明の詳細な説明】
【技術分野】
【０００１】
この発明は、金属板等をプレス加工するためのプレス装置に関する。
【背景技術】
【０００２】
プレス装置において、上金型が意図せずに降下するのを防止する技術として、特許文献１に開示のものがある。
【０００３】
特許文献１では、上金型が上死点に達したことを検出すると、安全ブロックを進出させて上金型と下金型間に介在させて、上金型の下降を防止している。
【０００４】
【特許文献１】特開平９−１０８８９９号公報
【発明の開示】
【発明が解決しようとする課題】
【０００５】
しかしながら、特許文献１に開示の技術では、安全ブロックが上金型と下金型間に進出する前の状態において、上金型と下金型間の空間が周囲に対して開放された状態となっている。このため、安全ブロック等で上金型の下降が抑止されていない状態で、上金型と下金型間に予期しない物体が介在してしまう恐れがある。
【０００６】
そこで、本発明は、上金型と下金型間の空間が、不用意に周囲に対して開放されないようにすることを目的とする。
【課題を解決するための手段】
【０００７】
この発明に係るプレス装置は、下金型と、前記下金型に対して接近離隔するように昇降移動する上金型と、前記上金型の下降を阻止する下降抑止位置と前記上金型の下降を許容する下降許容位置との間で移動自在に配設された下降抑止部材と、前記下降抑止部材の一側面に突設されたガイドロッドと、プレス装置の外方に突出するように前記ガイドロッドの先端部に設けられ、前記下降抑止部材を前記下降抑止位置と前記下降許容位置との間で移動させる操作片と、前記下降抑止部材を前記下降抑止位置と前記下降許容位置との間で移動自在に支持するように、前記ガイドロットと前記操作片との間で、前記ガイドロッドが移動自在に挿通されたガイド部と、前記下金型と前記上金型との間の金型間空間を開閉自在に覆うカバー体と、前記下降抑止部材の移動方向に沿い、かつ、閉じられた前記カバー体側に突出する姿勢で、前記下降抑止部材に取付けられたロック棒を有し、前記下降抑止部材が前記下降許容位置に移動した状態で、前記ロック棒が前記カバー体に形成された位置決め孔に挿入されて、前記カバー体を閉じた状態にロックすると共に、前記下降抑止部材が前記下降抑止位置に移動した状態で、前記ロック棒が前記カバー体の前記位置決め孔から離脱して、前記カバー体のロックを解除するカバー体ロック機構とを備えたものである。
【０００８】
この場合に、前記下降抑止部材が下降抑止位置に移動した状態で、該下降抑止部材の移動を抑止する下降抑止部材ロック機構をさらに備えたものであってもよい。
【０００９】
また、前記下降抑止部材ロック機構は、前記ガイド部に設けられたロック部材が前記ガイドロッドに形成された２つの位置決め凹部のいずれかに離脱可能に嵌り込むことで、前記下降抑止部材を前記下降抑止位置又は前記下降許容位置に維持してもよい。
【００１０】
さらに、前記ロック部材は、前記ガイドロッドの移動方向に対して略直交する方向に沿って前記位置決め凹部から離反する方向に持上げられることにより、前記位置決め凹部から離脱されるように構成されていてもよい。
【発明の効果】
【００１１】
この発明のプレス装置によると、下金型と、前記下金型に対して接近離隔するように昇降移動する上金型と、前記上金型の下降を阻止する下降抑止位置と前記上金型の下降を許容する下降許容位置との間で移動自在に配設された下降抑止部材と、前記下金型と前記上金型との間の金型間空間を開閉自在に覆うカバー体と、前記下降抑止部材が前記許容抑止位置に移動した状態で、前記カバー体を閉じた状態にロックすると共に、前記下降抑止部材が前記下降抑止位置に移動した状態で、前記カバー体の前記ロックを解除するカバー体ロック機構とを備えている。このため、前記下降抑止部材が前記下降抑止位置に移動して前記上金型の下降が抑止された状態になると、カバー体ロック機構のロックが解除されて、カバー体を開けるようになる。このため、上金型と下金型間の空間が、不用意に周囲に対して開放されることを防止できる。
また、前記下降抑止部材は、手動操作により移動可能に構成されているため、電気的な制御動作から切離して、下降抑止部材を移動させることができる。このため、予期しない上金型の下降をより確実に防止することができる。
【００１２】
また、前記下降抑止部材が下降抑止位置に移動した状態で、該下降抑止部材の移動を抑止する下降抑止部材ロック機構をさらに備えていると、下降抑止部材が不用意に退避移動することを防止できる。
【００１４】
さらに、前記下降抑止部材に対する移動操作と、前記下降抑止部材ロック機構に対するロック解除操作とは、それぞれ作業者の別の手で操作されるように構成されていると、作業者は両方の手を用いてロックを解除しつつ下降抑止部材を移動させる必要がある。このため、作業者の両手をロック解除及び移動操作に専従させることができ、上金型と下金型間に予期しない物体を介在させてしまうような事態をより確実に防止できる。
【発明を実施するための最良の形態】
【００１５】
以下、この発明の実施形態に係るプレス装置について説明する。図１はプレス装置を示す側面図であり、図２は抑止ブロックが下降許容位置にある状態におけるプレス装置を示す要部拡大図であり、図３は抑止ブロックが下降抑止位置にある状態におけるプレス装置を示す要部拡大図である。
【００１６】
このプレス装置は、上金型３０と下金型２０間で加工対象物に圧力を加えて曲げ加工や切断加工等のプレス加工を行うための装置である。例えば、自動車の配線分岐等に用いられるジャンクションブロックの内部には、絶縁板にバスバーを取付けて所定の配線回路を構成したものが組込まれている。本プレス装置は、このバスバーのような部材を、金属板材を切断及び曲げ加工することで形成する。
【００１７】
プレス装置は、下金型２０と、上金型３０と、下降抑止部材としての抑止ブロック４０と、金型間空間を覆うカバー体５０と、カバー体ロック機構６０とを備えている。
【００１８】
上記下金型２０は、上下方向に関して一定位置に設けられる部材であり、その上面は加工すべき形状に応じた所定の金型面に形成されている。
【００１９】
本実施形態では、基台１０上に固定板１２が固設され、この固定板１２の略中央部に下金型２０が固設されている。
【００２０】
上金型３０は、下金型２０に対して接近離隔移動するように昇降移動自在に設けられる部材であり、その下面は加工すべき形状に応じた所定の金型面に形成されている。そして、上記下金型２０の金型面と上金型３０の金型面との間に、加工対象物を挟んで圧力を加えることで、該加工対象物をプレス加工する。
【００２１】
本実施形態では、基台１０に支柱部１４が立設されており（ここでは基台１０の４隅に立設されている）、その支柱部１４により下金型２０の上方所定位置に上方支持板１６が支持されている。また、この上方支持板１６に、油圧シリンダ等のアクチュエータにより構成される昇降駆動部１８が設けられている。昇降駆動部１８は、上方支持板１６の固設された駆動本体部１８ａと、該駆動本体部１８ａから下方に向けて進退駆動自在に設けられたロッド部１８ｂとを備えている。そして、ロッド部１８ｂの下端部に可動板３８が取付けられており、この可動板３８の下面略中央部に下金型２０が取付けられている。
【００２２】
そして、昇降駆動部１８の駆動によりロッド部１８ｂが進退することで、上金型３０及び可動板３８が、下金型２０及び固定板１２に対して接近又は離隔するように、昇降移動する。
【００２３】
抑止ブロック４０は、上金型３０の下降を抑止する下降抑止位置（図３参照）、上金型３０の下降を許容する下降許容位置（図２参照）との間で移動自在に配設されている。ここでは、下降抑止位置は、上金型３０が上昇した状態で抑止ブロック４０が固定板１２と可動板３８との間に介在する位置であり、下降許容位置は、上金型３０が固定板１２と可動板３８間から離脱するように退避した位置である。
【００２４】
より具体的には、抑止ブロック４０は、上金型３０が上昇した状態で、固定板１２と可動板３８との間隔寸法に対応する上下寸法を有する略直方体形状に形成されている。そして、この抑止ブロック４０が、固定板１２と可動板３８との間に介在することで、可動板３８及び上金型３０の下降が抑止される。
【００２５】
この抑止ブロック４０は、次の構成により、上記２つの位置間で移動自在に支持されている。すなわち、抑止ブロック４０の一側面に一対のガイドロッド４２が突設されると共に、各ガイドロッド４２の先端部間に架渡すようにして操作片４３が取付けられている。また、上記各支柱部１４のうちの一つに各ガイドロッド４２を移動自在に挿通可能なガイド孔１５ｈを有するガイド部１５が一対設けられている。そして、一対のガイドロッド４２が各ガイド孔１５ｈ内に移動自在に挿通されることで、抑止ブロック４０が下降抑止位置（図３参照）とその側方の下降許容位置（図２参照）との間で移動自在に支持されることになる。
【００２６】
また、上記抑止ブロック４０は、手動操作により２つの位置間で移動自在に構成されている。ここでは、上記操作片４３は、本プレス装置の外方に突出しており、作業者等が該操作片４３或はこの操作片４３に取付けられたハンドル等を持って移動操作することで、抑止ブロック４０が移動する。即ち、作業者等が該操作片４３をプレス装置側へ押込むことで、抑止ブロック４０は下降抑止位置に移動し、作業者が操作片４３をプレス装置から引出すことで、抑止ブロック４０が下降許容位置に移動する。
【００２７】
また、このプレス装置には、抑止ブロック４０が、下降抑止位置又は下降許容位置に位置することを検出する位置検出部８０が設けられている。位置検出部８０としては、抑止ブロック４０の接触状態に応じて該位置を検出するマイクロスイッチや、光を利用した近接センサ等、種々の位置検出手段が用いられる。
【００２８】
この位置検出部８０の検出信号は、コントローラ８２に与えられる。コントローラ８２は、該検出結果に基づいて、抑止ブロック４０が下降許容位置に移動したと判断した場合に、昇降駆動部１８の駆動等、本プレス装置のプレス動作を可能にするように制御する。
【００２９】
なお、下降抑止部材としては、必ずしも上記抑止ブロック４０のように固定板１２と可動板３８との間に介在する必要はなく、例えば、何らかの固定部材に取付けられた状態で固定板１２や上金型３０等に係合して上金型３０の下降を阻止する構成等であってもよい。
【００３０】
図４はブロックロック機構を示す一部拡大断面図である。図２〜図４に示すように、本プレス装置には、下降抑止部材ロック機構としてブロックロック機構７０が設けられている。このブロックロック機構７０は、抑止ブロック４０が下降抑止位置に移動した状態で、該抑止ブロック４０の移動を抑止するように構成されている。
【００３１】
より具体的には、一方のガイド部１５に、その内外を貫通するようにロック保持孔１５ａが形成されており、このロック保持孔１５ａ部分にロック部材７１が取付けられている。
【００３２】
ロック部材７１は、位置決ロッド状部７２と摘み部７３とが略Ｔ字状に連なった形状を有している。そして、摘み部７３を外方に配設した状態で、位置決ロッド状部７２がロック保持孔１５ａに貫通状に配設される。このロック部材７１は、位置決ロッド状部７２の先端部をガイド孔１５ｈ内に突出させたロック位置とガイド孔１５ｈから退避した非ロック位置との間で、進退自在とされている。
【００３３】
また、弾性手段としてのコイルバネ７４が、ロック保持孔１５ａ内で、該ロック保持孔１５ａの外側開口部の若干狭まった狭隘部分と位置決ロッド状部７２の先端側外周部の鍔部７２ｆとの間に圧縮状に介在されている。このコイルバネ７４の付勢力により、ロック部材７１は上記ロック位置に向けて付勢されている。
【００３４】
また、上記位置決ロッド状部７２の先端部には、ボール７２ａが出没自在かつ離脱不能に設けられると共に、弾性手段としてのコイルバネ７２ｂによりボール７２ａが進出方向に付勢されている。すなわち、位置決ロッド状部７２の先端部には、一種のボールプランジャ機構が組込まれている。そして、位置決ロッド状部７２の先端部が、次述するガイドロッド４２の位置決凹部４２ｈａ，４２ｈｂに円滑に嵌り込みかつ離脱できるようになっている。
【００３５】
また、ガイドロッド４２の一側部に、その長手方向に沿って間隔をあけて２つの位置決凹部４２ｈａ，４２ｈｂが形成されている。各位置決凹部４２ｈａ，４２ｈｂは、上記位置決ロッド状部７２の先端部を嵌め込み可能な凹み形状に形成されている。また、一方側の位置決凹部４２ｈａは、抑止ブロック４０を下降抑止位置に移動させた状態で、上記位置決ロッド状部７２の先端部が嵌り込み可能な位置に形成され（図３参照）、他方側の位置決凹部４２ｈｂは、抑止ブロック４０を下降許容位置に移動させた状態で、上記位置決ロッド状部７２の先端部が嵌り込み可能な位置に形成されている（図３参照）。
【００３６】
そして、抑止ブロック４０が下降抑止位置又は下降許容位置にある各状態で、ロック部材７１がコイルバネ７４により付勢されつつロック位置に移動して、位置決凹部４２ｈａ又は４２ｈｂに嵌り込んでいる。これにより、抑止ブロック４０が下降抑止位置又は下降許容位置である一定位置に維持される。
【００３７】
また、この状態で、作業者が摘み部７３を掴んで持上げることにより（即ち、手動操作により）、コイルバネ７４の付勢力に抗してロック部材７１を非ロック位置に移動させることで、位置決ロッド状部７２の先端部が位置決凹部４２ｈａ又は４２ｈｂから離脱する。これにより、抑止ブロック４０は、下降抑止位置又は下降許容位置から移動可能になる。
【００３８】
なお、このロック部材７１は、操作片４３から離れた位置に配設されており、本ロック部材７１に対する操作（特にロック解除操作）と、操作片４３による抑止ブロック４０の移動操作（特に抑止ブロック４０を下降抑止位置から下降許容位置に移動させる操作）とは、作業者による別々の手で操作される必要があるようになっている。
【００３９】
また、上記上金型３０が上昇した状態で、上金型３０と下金型２０との間の金型間空間を覆うようにしてカバー体５０が設けられている。ここでは、金型間空間の一側を覆う一つのカバー体５０に着目して説明するが、通常は、金型間空の周囲を囲うようにして開閉自在又は開閉不能なカバー体が適宜設けられており、開閉自在なカバー体については、本発明を適用し得る。
【００４０】
すなわち、カバー体５０は、金型間空間の一側を開閉自在に覆う板状部材である。より具体的には、カバー体５０は、透明樹脂板等で形成された部材であり、隣合う支柱部１４と固定板１２と上方支持板１６とで囲まれる略方形開口を覆う略方形板状の部材である。
【００４１】
このカバー体５０は、図５及び図６に示す支持構造によって、その面方向に沿ってずらすことで開閉自在とされている。すなわち、カバー体５０の周縁部（ここでは上下の辺部分）に、大孔部及びスリット部を有するだるま穴状の係合孔５１が形成されている。一方、上記略方形開口を囲う支柱部１４と固定板１２と上方支持板１６側（ここでは固定板１２と上方支持板１６側）には、係合軸部４４の先端部に円板状の抜止部４５が固定されたカバー止係合部４６が設けられている。この係合軸部４４は係合孔５１のスリット部を挿通可能な太さに形成されており、抜止部４５は、係合孔５１の大孔部を挿通可能でかつスリット部を挿通不能な大きさに形成されている。
【００４２】
そして、カバー体５０を閉じる際には、抜止部４５を係合孔５１の大孔部に通すようにして、カバー止係合部４６を係合孔５１内に配設する。この状態で、重力に従って、カバー体５０を若干下降に移動させると、カバー止係合部４６が係合孔５１のスリット部部分に抜止め状に係合する。これにより、カバー体５０が閉じられた状態に保持される。一方、カバー体５０を開く場合には、該カバー体５０を若干持上げるようにして、抜止部４５を係合孔５１の大孔部に対応する位置に配設する（図５の２点鎖線参照）。この状態で、カバー体５０をカバー止係合部４６の先端側に移動させると、カバー止係合部４６と係合孔５１との係合が解除され、カバー体５０を開いて取外せるようになる。
【００４３】
なお、カバー体５０には、取っ手部５４が取付けられており、この取っ手部５４を衝かんでカバー体５０の移動等を容易に行えるようになっている。
【００４４】
カバー体ロック機構６０は、抑止ブロック４０が下降許容位置に移動した状態で、カバー体５０を閉じた状態にロックすると共に、抑止ブロック４０が下降抑止位置に移動した状態で、カバー体５０のロックを解除するように構成されている。
【００４５】
より具体的には、カバー体ロック機構６０は、抑止ブロック４０にブラケット等を介して取付けられたロック棒６２を備えている。ロック棒６２は、抑止ブロック４０の移動方向に沿い、かつ、閉じられたカバー体５０側に突出する姿勢で、抑止ブロック４０に取付けられている。また、カバー体５０には、ロック棒６２を挿通可能な位置決孔５０ｈが形成されている。そして、抑止ブロック４０が下降許容位置にある状態では、ロック棒６２がカバー体５０の位置決孔５０ｈ内に挿入されている。これにより、位置決孔５０ｈの周縁部がロック部６２に係合し、カバー体５０がその面方向に移動不能な状態とされ、カバー体５０が取外し不能状態にロックされる。一方、抑止ブロック４０が下降抑止位置にある状態では、ロック棒６２がカバー体５０の位置決孔５０ｈから離脱している。これにより、カバー体５０がその面方向に移動可能な状態となり、上述したようにしてカバー体５０をその面方向に沿ってスライド移動させつつ、取外して開くことができる（つまり、ロックが解除される）ようになっている。
【００４６】
このように構成されたプレス装置では、カバー体５０を閉じると共に、抑止ブロック４０を下降許容位置に移動させた状態で、通常のプレス作業を行う。そして、金型交換、金型の掃除、点検作業時等には、作業者が、その一方の手でブロックロック機構７０を非ロック状態に操作すると共に、他方の手で抑止ブロック４０を下降抑止位置に移動させる。これにより、カバー体ロック機構６０が非ロック状態になるので、カバー体５０を若干持上げつつ外方へ移動させて開く。すると、抑止ブロック４０が下降抑止位置に移動して可動板３８及び上金型３０の下降が阻止された状態で、金型２０，３０間の空間が開放され、上記金型交換作業等を行えるようになる。
【００４７】
以上のように構成されたプレス装置によると、下金型２０と、この下金型２０に対して接近離隔するように昇降移動する上金型３０と、上金型３０の下降を阻止する下降抑止位置と上金型３０の下降を許容する下降許容位置との間で移動自在に配設された抑止ブロック４０と、下金型２０と上金型３０との間の金型間空間を開閉自在に覆うカバー体５０と、抑止ブロック４０が下降許容位置に移動した状態で、カバー体５０を閉じた状態にロックすると共に、抑止ブロック４０が下降抑止位置に移動した状態で、カバー体５０のロックを解除するカバー体ロック機構６０とを備えているため、抑止ブロック４０が下降抑止位置に移動して上金型３０の下降が抑止された状態になると、カバー体５０のロックが解除されて、カバー体５０を開けるようになる。換言すれば、抑止ブロック４０によって上金型３０の下降が阻止されていない状態では、カバー体５０を開くことはできない。このため、上金型３０と下金型２０間の空間が、不用意に周囲に対して開放されることを防止できる。
【００４８】
また、抑止ブロック４０が下降抑止位置に移動した状態で、抑止ブロック４０の移動を抑止するブロックロック機構７０をさらに備えているため、抑止ブロック４０をより確実に一定位置に保持でき、それが不用意に移動することを防止できる。
【００４９】
さらに、抑止ブロック４０は、手動操作により下降抑止位置と下降許容位置との間で移動可能に構成されていると、電気的な制御動作から切離して、抑止ブロック４０を移動させることができる。このため、予期しない上金型３０の下降をより確実に防止することができる。
【００５０】
また、抑止ブロック４０に対する移動操作と、ブロックロック機構７０に対するロック解除操作とは、それぞれ作業者の別の手で操作される必要があるようになっているため、作業者は両方の手を用いてロックを解除しつつ抑止ブロック４０を移動させる必要がある。このため、作業者の両手をロック解除及び移動操作に専従させることができ、上金型３０と下金型２０間に予期しない物体を介在させてしまうような事態をより確実に防止できる。
【００５１】
図７及び図８にカバー体ロック機構の変形例を示す。すなわち、このカバー体ロック機構１６０は、抑止ブロック４０に取付けられたロック延設片１６２を備えている。ロック延設片１６２の先端部には、下方に凹む半円弧状の受部１６２ａが設けられている。また、カバー体５０の内面には、受部１６２ａに向けて突出するように突出棒部１８４が設けられている。
【００５２】
そして、抑止ブロック４０が下降許容位置にある状態では、突出棒部１８４が受部１６２ａ内に嵌り込んでいる。これにより、カバー体５０がその面方向に沿って上方へ移動不能な状態とされ、カバー体５０を取外せないようになっている。一方、抑止ブロック４０が下降抑止位置にある状態では、突出棒部１８４が受部１６２ａから離脱している（図８の２点鎖線参照）。これにより、カバー体５０がその面方向に移動可能な状態となり、上記と同様にカバー体５０をその面方向にスライド移動させつつ、取外して開くことができるようになっている。
【図面の簡単な説明】
【００５３】
【図１】この発明の実施形態に係るプレス装置を示す側面図である。
【図２】抑止ブロックが下降許容位置にある状態におけるプレス装置を示す要部拡大図である。
【図３】抑止ブロックが下降抑止位置にある状態におけるプレス装置を示す要部拡大図である。
【図４】ブロックロック機構を示す一部拡大断面図である。
【図５】カバー体の支持構造を示す図である。
【図６】カバー体の支持構造を示す一部断面図である。
【図７】カバー体ロック機構の変形例を示す図である。
【図８】カバー体ロック機構の変形例を示す図である。
【符号の説明】
【００５４】
１２  固定板
１５  ガイド部
１５ａ  ロック保持孔
１５ｈ  ガイド孔
１８  昇降駆動部
２０  下金型
３０  上金型
３８  可動板
４０  抑止ブロック
４２  ガイドロッド
４２ｈａ，４２ｈｂ  位置決凹部
４３  操作片
４６  カバー止係合部
５０  カバー体
５０ｈ  位置決孔
５１  係合孔
６０  カバー体ロック機構
６２  ロック棒
７０  ブロックロック機構
７１  ロック部材
【図１】
0004779458.tif 000002
【図２】
0004779458.tif 000003
【図３】
0004779458.tif 000004
【図４】
0004779458.tif 000005
【図５】
0004779458.tif 000006
【図６】
0004779458.tif 000007
【図７】
0004779458.tif 000008
【図８】
0004779458.tif 000009